(57)【特許請求の範囲】
【請求項１】
物体の識別および／または認証を容易にするための方法であって、
以下の工程：
物体もしくはその一部内またはそれらに機械的に係合したタグ上に、材料内容物の様式特性において、前記ソースのスペクトルにわたって分光学的に変化する出現する放射線を生じることが知られている前記検査イオン化放射線ソースからの入射放射線に対して特性放射線相互作用反応を示すマーカー材料を組み込む工程であって、前記特性放射線相互作用反応は、吸収、インコヒーレントおよびコヒーレント散乱のうちの１つ以上を含む、工程と、
識別および／または認証マーキングでマークされるべき複数の物体の各々について上記工程を反復する工程と、
前記ソースのスペクトル内の複数のエネルギーバンドにわたって分解される前記特性放射線相互作用反応に関連するデータを物体毎に記録する初期記録工程と、
第２の問い合わせ／認証段階において、
イオン化放射線の検査ソースおよび該イオン化放射線の検査ソースから間隔を置かれた、該イオン化放射線の検査ソースについての検出器システムを提供する工程であって、前記検出器システムは、該検出器システムへの前記ソースの入射からの放射線についての分光学的に分解可能な情報を検出および収集できる、工程と、
前記イオン化放射線ソースからのイオン化放射線を、少なくとも前記マーカー材料の領域において前記物体に入射させる工程と、
前記物体との相互作用の後、前記検出器システムにおいて受信される放射線についての強度情報を収集する工程と、
収集された前記強度情報を前記ソースのスペクトル内の複数のエネルギーバンドにわたって分光学的に分解する工程と、
分光学的に分解された強度データを、予想されるマーカー材料の存在を決定するために所定の許容限度内で、前記予想されるマーカー材料の記録された前記特性放射線相互作用反応に関するデータと比較し、それにより、強度の指標および／または前記物体の認証を得る、工程と、
を含み、
前記検出器システムは、材料内容物の様式特性において、分光学的に変化する特性放射線相互作用反応から出現する放射線を検出するように配置される、
方法。
【請求項２】
前記特性放射線相互作用反応に関連するデータが、前記ソースのスペクトル内の少なくとも３つのエネルギーバンドにわたって分解される、請求項１に記載の方法。
【請求項３】
前記初期記録工程で記録された前記特性放射線相互作用反応に関するデータが、前記マーカー材料の既知の性質に基づいた既知の理論的原理に従って計算され、記録される、請求項１または２に記載の方法。
【請求項４】
前記特性放射線相互作用反応に関するデータが、適切なイオン化放射線ソースおよび検出器アレイで前記物体を走査することを含む、前記初期記録工程によって生成される、請求項１〜３のいずれか一項に記載の方法。
【請求項５】
複数の前記物体がひとまとまりでマークされ、単一の記録可能な前記特性放射線相互作用反応に関するデータが、そのようなひとまとまりにおける各々の物体に対して参照されるようにして記録される、請求項１〜４のいずれか一項に記載の方法。
【請求項６】
前記マーカー材料が、前記物体もしくはその領域またはタグの中あるいは上に実質的に均一に分配されるように組み込まれる場合に、前記マーカー材料が、前記物体の特性放射線相互作用反応に対して全体的に均一な寄与を生じるように組み込まれる、請求項１〜５のいずれか一項に記載の方法。
【請求項７】
前記物体が、材料が含有されている容器を含み、前記材料の性質により、単一の全体的に均一な組成を有すると予想される、請求項１〜６のいずれか一項に記載の方法。
【請求項８】
前記マーカー材料が、以下の３つの位置：
ａ．前記容器の材料内、または前記容器の指定領域内または前記容器の指定した別の部分または前記容器の表面上、
ｂ．前記容器に取り付けられたタグの組成中、
ｃ．前記容器の内容物に付加され、前記内容物に均一に分配される追加材料として、
の１つ以上に組み込まれる、請求項７に記載の方法。
【請求項９】
前記マーカー材料が、以下の方法：
ａ．前記容器の組成に組み込まれる追加材料を含むことによって、前記容器の表面上に均一に適用されるかまたは前記容器の材料内に均一に分配される、
ｂ．前記タグの構造的キャリア材料に均一に分配される、
ｃ．前記容器内の内容物に組み込まれ、前記内容物に均一に分配される、
の１つ以上において前記容器に組み込まれる、請求項８に記載の方法。
【請求項１０】
前記放射線ソースが、高エネルギー電磁放射を送達するためのソースであるｘ線および／またはγ線、あるいは亜原子粒子放射線を含む、請求項１〜９のいずれか一項に記載の方法。
【請求項１１】
前記ソースがｘ線ソースである、請求項１０に記載の方法。
【請求項１２】
複数の物体を含む、後の識別および／または認証を容易にするために、物体もしくはその一部内またはそれらに機械的に係合したタグ上に、請求項１の中で記載されているマーカー材料を組み込む工程、請求項６，８，９に記載されているマーカー材料を組み込む工程、のいずれかの工程によりマークされた物体のセットであって、前記物体の各々は、前記物体の本体もしくはその一部内またはそれらと機械的に係合したタグ上に、検査ソースのスペクトルにわたって分光学的に変化することが知られている前記検査ソースからの入射放射線に対する特性放射線相互作用反応を示すマーカー材料を組み込こんでいる、物体のセットと、
前記特性放射線相互作用反応に関するデータを含むデータベースと、
問い合わせ／認証システムであって、イオン化放射線の放射線検査ソースおよび該イオン化放射線の放射線検査ソースから間隔を置かれた、該イオン化放射線の放射線検査ソースについての検出器システムであって、前記検出器システムは、該検出器システムへの前記ソース入射からの放射線についての分光学的に分解可能な情報を検出および収集できる、検出器システムと、前記ソースのスペクトル内の複数および少なくとも３つのエネルギーバンドにわたって回収された強度情報を分光学的に分解するためのデータ処理装置と、特性放射線相互作用反応の前記データベースとデータ通信するデータリンクと、特性放射線相互作用反応の前記データベースに問い合わせし、予想されるマーカー材料の存在を決定し、それにより、強度の指標を得、および／または前記物体の認証を得るために、分光学的に分解された強度データを、所定の許容限度内で、前記予想されるマーカー材料の記録された特性放射線相互作用反応に関するデータと比較するためのコンパレータと、を提供することを含む、問い合わせ／認証システムと、
を含む、物体の識別および／または認証を容易にするシステム。
【請求項１３】
前記検出器システムが、前記ソースのスペクトルにわたって同時に複数の別のエネルギーバンドに入射放射線を差異化するように構成される、請求項１２に記載のシステム。
【請求項１４】
検出器が、本質的に直接的な材料特性として、前記ソースのスペクトルの異なる部分に対して直接的な可変電気応答および光電応答を提示するように選択される半導体材料から製造されるので、分光学的分解を生成するように構成される、請求項１３に記載のシステム。
【請求項１５】
前記半導体材料が、テルル化カドミウム、テルル化カドミウム亜鉛（ＣＺＴ）、テルル化カドミウムマンガン（ＣＭＴ）、ゲルマニウム、臭化ランタン、臭化トリウムから選択される、請求項１４に記載のシステム。
【請求項１６】
前記半導体材料が、結晶性Ｃｄ１−（ａ＋ｂ）ＭｎａＺｎｂＴｅ（ここで、ａ＋ｂ＜１ならびにａおよび／またはｂは０であり得る）を含む、請求項１５に記載のシステム。
【請求項１７】
前記放射線ソースが、高エネルギー電磁放射を送達するめのソースであるｘ線および／またはγ線あるいは亜原子粒子放射線を含む、請求項１２〜１６のいずれか一項に記載のシステム。
【請求項１８】
前記放射線ソースがｘ線である、請求項１７に記載のシステム。
【発明の詳細な説明】
【技術分野】
【０００１】
本発明は、物体の識別および／または認証を容易にするための方法およびシステム、識別および／または認証した原物（オリジナル）を有する物体をマーキングするための方法およびシステム、ならびに後の識別および／または認証を容易にするためにマークした物体のセットに関する。
【０００２】
本発明は特に、本物の原物、質、規制認可など、例えば保護される安全性、限定版、ブランド物、保護される原物、規制基準物または同様の製品に対する特定の認証マーキングまたは同様の証明に関連した製品を識別、照合およびマーキングするための方法およびシステム、ならびに／あるいはそれらの偽物コピーを識別および検出するための方法およびシステムに関する。本発明は特に、識別および認証目的のために物体を走査する、ならびに特に物体および／またはその内容物の中または上に組み込まれた認証マーカーを検出する、例えば本物の製品を認証または偽物の製品を検出するためのｘ線またはγ線などの高エネルギー放射線を使用する方法およびシステムに関する。本発明は特に、容器内の液体、ゲル、ペースト、粉末および他の同様の実質的に均一な材料を識別、照合およびマーキングするための方法およびシステムに関する。
【０００３】
本発明はさらに、内部の内容物および／または物体の組成についての追加的な情報を収集するように構成された方法およびシステムに関する場合もある。本発明はさらに、物体の画像生成により、またはそれと組み合わせて操作する方法および装置に関する場合もある。しかしながら、本発明はそのようなさらなる情報収集または画像化に限定されない。
【背景技術】
【０００４】
手荷物検査および税関検査時において、内容物についての情報を得るため、および物体の内容物が安全を脅かすものまたは関税規則を違反するものから構成されていないことを示すために、例えばボトルなどの容器を含む物体の内容物を走査することが望まれることは知られている。また、品質管理、内容照合、劣化監視などの他の目的のために物体を走査することが望ましいことも知られている。
【０００５】
物体またはその内容物が主張されているものであることを保証するために、高エネルギーイオン化放射線ビームが物体の断面を横断するように物体および内容物を走査することは有用であり得る。得られた透過された放射線ビーム強度データの数値解析から材料組成の指標を得ること、およびその解析結果を、既知の組成の材料に関連する参照データセットと比較することが可能になり得る。
【０００６】
例えば、特許文献１、特許文献２および特許文献３は、密閉容器内に保持される標的液体を非侵襲的に識別することを目的とするシステムおよび方法を記載している。標的液体は、例えば、航空機に持ち込まれると安全性の脅威となる液体、溶解した麻薬を含有する液体、または品質管理を必要とする液体であり得る。そのシステムおよび方法は、含有されている液体と分光学的に相互作用した後に、出現し、例えば透過された放射線を分解するためにテルル化カドミウムなどのエネルギー選択的検出器を使用する。分光学的に分解されたデータは、数値的に解析されて、例えば、質量減衰係数などの既知の物質特性にフィッティングすることにより物質透過性を表すデータを誘導することができる。標的物質透過性のデータベースを問い合わせること、および一致した透過性を探すことにより、標的物質を識別できる。
【０００７】
このようなシステムは、例えば、組成的に異なる、含有されている液体、ゲル、ペースト、粉末および他の均一な材料を含む、本物の原物と定性的に異なる偽物の物体を識別できる。それは、物質的に異なるコピーを識別するための品質管理としても役立ち得る。しかしながら模倣品が実際のものと非常によく似ている場合、その問題はより困難になり得る。ブランドステータスなどにより、製造コストより製品コストを高く押し上げるため、多くの場合にこの状況が起こり得る。「偽物」より「オリジナル」の価値がより主観的でありおよび／または商業的性質がある。ブランドアイデンティティ、原物または同様に認識される主観的品質が存在する。そうでなければ「オリジナル」の価値は「偽物」と物質的に同一となり得る。付加価値がブランドステータスなどにはある。
【０００８】
ブランドなどのグッズには、特有のマーキング、パッケージング体裁などが提供され得るが、これも再びコピーされる場合がある。ブランドなどのグッズには、有効にコピーし難い特徴を含む認証システムが提供され得る。これに関する最近の開発には、ホログラム、透かし、偽造防止印刷などのラベルまたはパッケージング上に複製するのが難しい物理的安全特性を組み込むこと、および参照データセットと併せて商品の識別を提供するためにバーコード、ＲＦＩＤなどの識別コード手段を用いることが含まれる。偽物のコピーで複製することが難しい認証されたブランドなどのグッズに効果的かつ安全な手段を提供することは、高い価値のブランド製品の製造業社およびブランド保有者にとって大きな関心事である。
【先行技術文献】
【特許文献】
【０００９】
【特許文献１】国際公開第２００９／０２４８１８号
【特許文献２】国際公開第２００９／１３０４９２号
【特許文献３】ＰＣＴ／ＧＢ２０１０／０５００７９号
【発明の概要】
【課題を解決するための手段】
【００１０】
第１の最も完全な態様における本発明によれば、物体の識別および／または認証を容易にする方法であって、
第１のマーキング段階において：
物体もしくはその一部内またはそれらに機械的に係合したタグ上に、ソースのスペクトルにわたって分光学的に変化することが知られている検査イオン化放射線ソースからの入射放射線に対して特性放射線相互作用反応を示すマーカー材料を組み込む工程と、
識別および／または認証マーキングでマークされるべき複数の対照物の各々について上記の工程を反復する工程と、
イオン化放射線ソースのスペクトル内の複数および好ましくは少なくとも３つのエネルギーバンドにわたって前記特性反応を記録する工程と、
を含み、
第２の後の問い合わせ／認証段階において：
イオン化放射線の放射線検査ソースおよび該放射線検査ソースから間隔を置かれている、該放射線検査ソースについての検出器システムを提供する工程であって、該検出器システムは、ソースから入射した放射線についての分光学的に分解可能な情報を検出および収集できる、工程と、
イオン化放射線ソースからのイオン化放射線を、少なくともマーカー材料の領域において物体に入射させる工程と、
物体との相互作用の後、検出器システムにおいて受信された放射線についての強度情報を収集する工程と、
収集された強度情報を、ソースのスペクトル内の複数および好ましくは少なくとも３つのエネルギーバンドにわたって分光学的に分解する工程と、
予想されるマーカー材料の存在を決定し、物体の強度および／または認証の指標を得るために、所定の許容限度内で、分光学的に分解された強度データを、予想されるマーカー材料の記録された特性反応と比較する工程と、
を含む、方法。
【００１１】
本発明によれば、放射線ソースは、所望の作動バンド幅内のエネルギー範囲にわたって発光スペクトルを生成できるように選択され、検出器システムは、これを、複数および好ましくは少なくとも３つのエネルギーバンドにわたって分光学的に分解できる。これは単一のソースまたは複数のソースであってもよい。放射線ソースは、高エネルギーイオン化放射線、例えばｘ線および／またはγ線あるいは亜原子粒子放射線などの高エネルギー電磁放射線を送達するためのソースを含み、検出システムはこのスペクトルにおいて対応して放射線を検出するように構成される。例えば、放射線ソースは、広範囲のエネルギーにわたって広域スペクトルを生成できるブロードバンドｘ線またはγ線ソースなどのブロードバンドソースである。検出器システムは、好ましくは、分光学的情報を読み出すことができ、かつソーススペクトルにわたって複数の差異化したエネルギーバンドにて強度情報を検出できる、ソーススペクトルの少なくとも一部にわたる分光学的に可変の応答を示す。
【００１２】
ソースからの放射線との放射線相互作用後に物体から出現するこの分光学的に分解された強度データを引き出すために利用される一般的原理はよく知られている。
【００１３】
被検査物体は、例えばそれをソースと、離れて間隔を置かれている検出器システムとの間に規定される走査ゾーンにもたらすことにより入射放射線のソースに供することによって、および検出器システムにおいて、物体との相互作用後に出現する放射線を検出することによって走査される。好適には、検出器システムは、材料内容物の様式特性が分光学的に変化する放射線相互作用から出現する放射線を検出するように配置される。
【００１４】
好適な出現する放射線は、コヒーレントおよびインコヒーレント散乱、ならびに前方散乱および後方散乱を含む、透過および散乱された放射線を含む。原則として、各々は、材料関連情報を与えることができる。したがって、この方法は、少なくとも１つのこのような相互作用モードから出現する放射線についての強度データを収集する方法である。
【００１５】
例えば、よく知られているように、物体を透過する場合、放射線の減衰は、物体の構造およびその組成の両方についての有用な情報を与えることができる。したがって、この方法は透過した強度データを収集する工程および走査ゾーンにおける物体による入射放射線の減衰を決定する工程を含んでもよい。
【００１６】
本発明は、この効果が、特定のマーカー材料を、製品の一部自体ではないが、例えばブランド、原物の保証、信頼性の保証などにより製品をマークするのに役立つ、入射放射線に対して検出可能、特に分光学的に可変の応答を与えるように選択される製品に付加することによって引き出されるように明確に特徴付けられる。特定のマーカー材料は、好ましくは、製品の正常な機能に対して無機能であるように選択される（すなわち、いかなる組成などに対しても不活性であるように、製品の定性的機能に影響を与えない）が、上述の走査手順により容易に検出可能である。
【００１７】
したがって、最も広い態様において本発明によれば、マーキング段階の間に、このような選択されたマーカー材料が、物体または選択された部分もしくはその領域内に組み込まれるか、あるいはそれらに機械的に係合したタグに含まれる。同時またはその後に、いずれかの事象において、このようなマーキングに基づいて物体を認証するのに必要となる前に、マーカーを保有する物体の一部とソースからの入射放射線との相互作用後、少なくとも出現する放射線データを得るように、例えば検査ソースで走査することによって、意図される検査ソースの放射線に対する特性放射線反応にこのマーキングを結びつけるデータライブラリにデータが保存される。したがって、物体のこの部分から得られた出現する放射線は、基本的な製品の組成態様だけでなく、特に付加されるマーカー材料の組成態様も決定される分光学的に分解可能な特性を有するはずである。
【００１８】
問い合わせ／認証段階の間、被検査物体は、ソースからの入射放射線と、マーカーを保有すると予想される物体の部分との相互作用の後に、少なくとも出現する放射線データを得るように走査される。したがって、物体のこの部分から得られる出現する放射線は、基本的な製品の組成態様だけでなく、特に付加されるマーカー材料の組成態様も決定される同じ分光学的に分解可能な特性を有するはずである。
【００１９】
したがって、マークされた物体との相互作用の後に生成される出現する放射線は、基本的な製品および付加的なマーカー材料の両方に起因する強度データを含む。物体の機能的成分および／または機能的製品組成の単に正確なコピーである偽物のコピーは、マークされた物体の特徴的な出現する放射線信号と一致しない。マーカーは、あらゆる代替の可変物に存在するはずがない物体の認証についての付加的手段を提供する。マーカー材料は、比較的物体に組み込みにくい材料であるように選択されてもよいか、または比較的複製しにくい方法で組み込まれてもよい。次いでマーカーは、物体についての識別子、原物の指標、信頼度の指標などとして顕著な効果を有し得る。
【００２０】
好適には、参照特性データおよび測定される出現する放射線データは両方とも、ソースのスペクトルにわたって少なくとも３つの差異化したエネルギーバンドに分解される。好適には、エネルギーバンドは、マーキングおよび問い合わせ段階について同じであるが、有意な比較がなされる得る限り、これは必ずしも必要ではない。
【００２１】
第１の完全な態様において、本発明の全体の方法論は、空間および時間が互いから離れてかつ独立して実施される可能性があるマーキング段階および問い合わせ／認証段階を含むことは理解されるだろう。
【００２２】
したがって、さらなる態様において本発明は、検査ソースからの照射により物体の後の識別および／または認証を容易にするためのマーキング方法を含む。この方法は、物体もしくはその一部内またはそれらに機械的に係合したタグ上に、ソースのスペクトルにわたって分光学的に変化することが知られている検査イオン化放射線ソースからの入射放射線に対して特性放射線相互作用反応を示すマーカー材料を組み込む工程と、識別および／または認証マーキングでマークされるべき複数の物体の各々について上記の工程を反復する工程と、ソースのスペクトル内の複数および好ましくは少なくとも３つのエネルギーバンドにわたって前記特性反応を記録する工程と、を含む。
【００２３】
この方法は、上記の本発明の第１の態様の認証段階に供される本発明の原理に従って好適にマークされた物体を生成する。
【００２４】
本発明のさらなる態様における類似性により、後の識別および／または認証を容易にするためにマークされる物体のセットが、上述の方法に従ってマークされて提供される。
【００２５】
すなわち、後の識別および／または認証を容易にするためにマークされる物体のセットは複数の物体を含み、その物体の各々は、物体の本体もしくはその一部内またはそれらに機械的に係合したタグ上に、ソースのスペクトルにわたって分光学的に変化することが知られている検査ソースからの入射高エネルギーイオン化放射線に対して特性放射線相互作用反応を示すマーカー材料を組み込んでいる。
【００２６】
実用的な目的のために、物体のセットは、意図される検査ソースのスペクトル内の複数および好ましくは少なくとも３つのエネルギーバンドにわたって前記特性反応を含むデータベースと関連付けられる。
【００２７】
なおさらなる態様における類似性により、物体の識別および／または認証を容易にするためのシステムが、上記のマークされた物体のセットと、前記特性反応を含むデータベースと、を含み、問い合わせ／認証システムが、イオン化放射線の放射線検査ソースと、その放射線検査ソースから間隔を置かれた、その放射線検査ソースについての検出器システムであって、その検出器システムは、ソースによる入射からの放射線についての分光学的に分解可能な情報を検出および収集できる、検出器システムと、ソースのスペクトル内の複数および好ましくは少なくとも３つのエネルギーバンドにわたって収集された強度情報を分光学的に分解するためのデータ処理装置と、特性反応の前記データベースとデータ通信するデータリンクと、予想されるマーカー材料の存在を決定し、それにより、物体の識別および／または認証の指標を得るために、特性反応のデータベースに問い合わせをし、所定の許容限度内で、分光学的に分解された強度データと、予想されるマーカー材料の記録された特性反応とを比較するコンパレータと、を含む。
【００２８】
この方法および／またはシステムの態様を例示するために本明細書で例を使用する場合、それらは、類似性により、適用可能なように本発明の全てのこのような態様に全体的に適用されてもよいことは理解されるだろう。
【００２９】
本発明の原理により利用される検出器システムは、ソースのスペクトルにわたって複数の別のエネルギーバンドに同時に入射放射線を差異化するように構成されるという意味で、入射高エネルギーイオン化放射線についての分光学的に分解可能な情報を検出および収集できる。例えば、検出器システムは、入射放射線の複数のエネルギーバンドへのこのような同時差異化を可能にするソーススペクトルの少なくとも一部にわたって分光学的に可変の反応を提示する。このシステムおよび方法は、得られた強度データセットを、ソーススペクトルにわたって複数のエネルギーバンドおよび好ましくは少なくとも３つのこのようなエネルギーバンドに分解するこの特徴を引き出すように構成される。問い合わせ工程は、収集し、認証される物体に入射される放射線のソーススペクトルにわたって複数の別のエネルギーバンドへ同時分解することを含む。
【００３０】
したがって、このシステムおよび方法は、原則として、物体の組成に関連する情報を抽出するために分析され得る分光学的に分解される出現する放射線データセットを生成する。種々の理論的関係は知られており、それにより、種々の放射線相互作用モードが種々の機能的関係に従って材料組成に適合され得る。本発明は、任意の特定の関係または任意の特定の放射線相互作用理論または任意の特定の放射線相互作用モードに限定されない。種々のこのような相互作用が存在する原理の概念を利用することを目的とする。
【００３１】
本発明は任意の材料特性自体を導き出すために特定の数値解析を必要としない。本質的に関係を利用することにより、出現する放射線が材料の特性として分光学的に変化することで十分である。単に比較することによりこれを行うことができる。このシステムは、第１のマーキング段階において、問い合わせ／認証段階における将来の参照のために特性反応の記録を必要とする。次いで、問い合わせ／認証段階において、確かにマークされた物体から予想される反応であるか否かを決定するために、所定の許容限度内でこの記録された特性反応を実際の反応と比較することだけを必要とする。物体自体の任意の組成分析を実施するため、または任意の材料特性自体を導き出すために、マーキング材料自体を識別する必要はない。これにより、完全および詳細な分析をせずに認証工程が迅速に実施できるので、認証工程は問い合わせ工程と同時に、または少なくとも近接しておよび好ましくは即座に引き続いて実施されるという実用性が得られる。本発明の原理により利用されるこのシステムは、複数の別のエネルギーバンドにわたって入射放射線を検出および収集でき、入射放射線を、ソーススペクトルにわたってそれらの複数の別のエネルギーバンドに同時に分解できるので、およびこの分解は比較による認証の基本となるので、認証が、データの収集／分解の工程と同時、または少なくとも近接しておよび好ましくは即座に引き続いて行われ得る。別々および一時的または空間的に別のデータ収集および／または分析および／または認証段階は必要とされない。リアルタイムでその場でデータが処理され、物体が認証され得る。したがって、問い合わせ／認証段階は、リアルタイムでその場で単一プロセスとして実用目的で実施される。
【００３２】
したがって、マーキング段階で記録される記録特性反応は単に、問い合わせ／認証段階で行われ得る比較に必要とされるだけのものである。再度、これは単に、比較が行われ得る、予想される分光学的に分解された強度プロファイルであり得る。必要に応じて、特性反応データは、材料特性または特定の組成情報に関する特定の情報を導き出すためにさらに分析されるデータであってもよいが、これは必ずしも必要とされる工程ではない。
【００３３】
特性反応データは、マーカー材料の既知の性質に基づいた既知の理論的原理に従って記録されてもよく、および／または物体を適切な放射線ソースおよび検出器アレイで走査することを含む、好ましくは後の問い合わせ／認証段階における使用を意図する走査装置で走査することを含む初期記録工程により記録されてもよく、その時に、物体はマークされるか、または後であるが問い合わせ／認証段階の前にマークされる。
【００３４】
典型的な適用において、物体は個々にマークされずに、ひとまとまり（バッチ）でマークされる。単一の記録可能な特性データ項目またはデータセットは、そのようなひとまとまり（バッチ）で各物体を参照して記録されてもよく、例えば、初期記録工程が利用される場合、同様にマークされた物体の全てのひとまとまり（バッチ）について記録可能な特性データを得るためにひとまとまり（バッチ）サンプリングプロセスが利用されてもよい。
【００３５】
本発明は特に、材料が含有されている容器を含む物体のマーキングおよび認証に関する。本発明は特に、比較的均一の構造または内容物を有すると予想される材料が含有されている容器のマーキングおよび認証に関して有効性を有する。本発明は特に、材料が含有されている容器を含む物体に関し、それらの性質により、単一の全体的に均一な組成、例えば、混合物、溶液、乳液、懸濁液を含む液体などの液体組成、ゲル、ペースト、クリーム、微粉および同等物、エアロゾルなどの同様の流動性組成を有すると予想される。液体容器などの物体に含有される液体の例による参照が本明細書になされる場合、本発明は、含有されている場合、この本質的な混合され、全体的に均一な特性を有する全てのこのような液体、部分的液体および他の流動性材料に同等に適用可能であることは理解されるべきである。
【００３６】
この好適な場合に関連して、本発明が、含有されている材料、特に比較的均一な組成を有する含有されている材料を含む容器に適用される場合、マーカー材料は、特に以下の３つの位置の１つ以上において容器および内容物を含む物体内に組み込まれてもよい：
ａ）容器の材料内または容器の指定した領域内（例えば容器壁の一部内）または容器の指定した別の部分内（例えば上部閉鎖部など）または容器の表面上に組み込まれてもよく、
ｂ）容器に取り付けられたタグの組成に組み込まれてもよく、
ｃ）付加され、例えば容器全体に均一に分配される追加材料として組み込まれてもよい。
【００３７】
好ましくは、標的材料が組み込まれる場合はいつでも、その領域における物体の特性放射線相互作用に対して全体が均一に寄与するように組み込まれる。例えば、材料は物体内もしくは物体上（または前記領域内もしくは前記領域上または場合によってはその一部）またはタグに実質的に均一に分配される。
【００３８】
例えば、上記に与えられる３つの代替の配置の場合、マーカー材料は、
ａ）容器表面上に均一に適用されてもよいか、または容器（または前記領域内もしくは前記領域上または場合によってはその一部）の材料内に均一に分配されてもよく、例えば、容器の組成内に組み込まれる追加的材料を含んでもよく、
ｂ）タグの構造的キャリア材料に均一に分散されてもよく、
ｃ）容器内、特に好ましい場合、容器内に均一に分配されている全体的に均一な流体または同様の内容物に組み込まれてもよく、好ましくは、前記容器の意図される機能に対して不活性である材料を含んでもよい。
【００３９】
可能な場合、本発明は、認証／問い合わせ段階において、被検査物体および内容物を透過した後の放射線の収集および分析を利用してもよい。本発明は特に、初期の入射強度に対する放射線の減衰の決定を含む。材料による透過した放射線の減衰は、入射強度、入射エネルギーなどのソース放射線の特定の物理的パラメータに特徴的に関連付けられ、かつ機能的に関連する、特異的な材料の性質であることは周知である。検査ソースからの放射線の特徴的な分光学的に可変の減衰を与える材料を含む、好適なマーカー材料が選択されてもよい。
【００４０】
問い合わせ／認証段階において、走査される物体は、固定して保持されてもよいか、または放射線ソースと所望の検出器システムとの間の走査ゾーンを移動するように配置されてもよい。走査される物体は用途に応じて垂直または水平面で移動するように配置されてもよい。ボトルおよびジャーなどの容器内の流体などをスクリーニングするために、容器がホルダ内に載せられ、容器が水平に置かれると、含有している材料が漏出することが生じる可能性があるため、ほぼ垂直面に移動することが想定される。ボトルなどの物体を垂直移動するように置くことは、走査移動の間、物体を所定の位置に維持するためにある種の固定を必要とするので、物体は好ましくは、垂直から１°〜８０°の角度で、好ましくは５°〜４５°の角度で、より好ましくは５°〜３０°の角度で取り付けられる。
【００４１】
容器および例えばボトルまたは液体のカートンなどの多くの物体は、通常走査され得る厚さ方向を規定する矩形形状を有する。例えば、そのような厚さは、物体の平行面により、または物体表面と反対の点により規定されてもよい。放射線ビームは物体などの表面に垂直に入射するように配置されてもよい。すなわち、放射線ビームは、物体の表面に対して垂直に、およびこのような厚さ方向において物体を通過する。放射線ビームが垂直以外の角度で物体を通過するように配置される場合、ビームは物体内容物の増加した厚さを通過し、これによりビーム吸収が改良され得るので、物体内容物の分析も改良され得る。例えば、放射線ビームは好ましくは、表面に対して垂直から１°〜８０°、好ましくは５°〜４５°、より好ましくは５°〜３０°離れた角度で物体を通過するように配置される。上記のように物体が１°〜８０°、好ましくは５°〜４５°、より好ましくは５°〜３０°の角度で置かれる場合、ほぼ水平のビーム配置を用いることにより、物体内容物を通るビーム経路長の所望の増加が得られる。このことは、特に（決してこれだけではないが）減衰相互作用が利用される場合、高い相互作用効果を生じる。
【００４２】
各々の「走査事象」に関して（すなわち、所定の位置において物体に入射し、例えば物体を通過する所定の放射線経路により出現する強度の所定の測定に関して）、検出器システムにおいて、ソースエネルギースペクトルの少なくとも一部にわたって収集された入射強度を表す「強度データセット」が収集される。好ましくは、本発明の方法に従って、各々のこのような強度データセットは、ソーススペクトルにわたって少なくとも２つおよびより好ましくは少なくとも３つの別のエネルギーバンドに分解される。したがって、強度データセットは、所定の走査事象に関連する対応する複数の出現する強度データ測定を生成するためにこのような複数のバンドに分解可能な周波数／エネルギーに関連する強度情報のデータセットを構成する。
【００４３】
マーカーが物体の一部のみ、例えば物体の別の領域もしくは物体の別の成分または物体に取り付けられたタグに適用される場合、マークされた部分とマークされていない部分に放射線を照射する、別々の走査が実施されてもよい。例えば、本発明のプロセスの精度を改良するため、あるいは本発明の目的以外の分析または画像化目的のために、比較および／または自己正規化目的用に追加データが使用されてもよい。同様に、均一の流体などが含有されている好適な場合において、容器のマークされた部分とマークされていない部分に放射線を照射する、および／またはマークされた容器とマークされていない容器に放射線を照射する、および／または充填された容器と空の容器に放射線を照射する、別々の走査が実施されてもよい。再度、例えば、本発明のプロセスの精度を改良するため、あるいは他の目的のために、比較および／または自己正規化目的用に追加データが使用されてもよい。
【００４４】
１つの可能な実施形態において、単一の広域スペクトルソースが使用されてもよい。この実施形態において、本発明の方法は、入射放射線を単色（モノクロマティカリー（ｍｏｎｏｃｈｒｏｍａｔｉｃａｌｌｙ））に検出するために広域スペクトル検出器もしくは検出器アレイおよび／または単一の狭域スペクトル検出器を用いることを含んでもよい。代替として、入射放射線は、検出器の固有の特性を用いてソースのスペクトルにわたって情報を分解するように構成される検出器もしくは検出器アレイに入射する単一の広域スペクトルソース、および／または狭域応答を有する多重検出器アレイへの入射を用いて分光学的に分解されてもよい。
【００４５】
入射放射線は、ソーススペクトル内の複数のエネルギーバンドおよび好ましくは少なくとも３つおよびより好ましくは少なくとも５つのエネルギーバンドにわたって分光学的に分解される。これにより、単色データより有効に操作しやすいデータが生成され得る。このように、好適な場合において、検出器システムは、複数のエネルギーバンド、好ましくは少なくとも３つ、より好ましくは少なくとも５つのエネルギーバンドに少なくともある程度まで分解する、入射および特に透過した放射線についての分光学的情報を生成するように構成される。好ましくは、検出器は、詳細な分光学的情報を読み出すことができる、放射線ソースのスペクトルの少なくとも十分な部分にわたって分光学的に可変の応答を示す。しかしながら、認証プロセスの基本は、完全な解析よりむしろ、複数のエネルギーバンドにおける分解された信号にわたる比較工程であるので、完全なスペクトル的に分解された応答は必要としない。少しのエネルギーバンドで十分である。このように、入射放射線は、ソーススペクトル内の複数のエネルギーバンド、好ましくは少なくとも３つ、より好ましくは少なくとも５つのエネルギーバンドにわたって分光学的に分解されるが、多数のエネルギーバンド、例えば１６および例えば適切な最大であり得る８つのエネルギーバンドにわたって分解されることは必要とされない。
【００４６】
同様に、ソースは単一の広域スペクトルソースであってもよく、それにわたって複数の帯域幅または単一のエネルギーが識別されてもよい。代替としてまたは加えて、狭帯域幅を有する、または本発明の方法に従って比較用のエネルギーの一部を提供するために１つ以上の別々のエネルギーで入射放射線を生成するソースが提供されてもよい。この場合、放射線ソースは、複数のエネルギー／エネルギーバンドにわたって検出器による分解を可能にするために必要な全スペクトル拡散を提供するために異なるエネルギーにてソースの組み合せを含む複数のソースである。
【００４７】
例えば、複数のソースは、比較的低いエネルギースペクトルを有する、例えば６０ｋｅＶ以下および例えば１０〜５０ｋｅＶで作動するｘ線ソースを含み、１つ以上の放射性同位体ソースが、高エネルギー、例えば１００ｋｅＶ以上で放射線を生成する。
【００４８】
ソースは、好ましくは、本発明の実施に必要なスペクトル分解を可能にする放射線の十分な広域スペクトルを生成できる。好ましくは、ソースは、２０ｋｅＶ〜１ＭｅＶの範囲の少なくとも１つ以上の部分にわたって、より好ましくは少なくとも一部、例えば２０ｋｅＶ〜１６０ｋｅＶの範囲の大部分にわたって放射線を生成する。例えば、ソースは、所定の範囲内で少なくとも２０ｋｅＶの少なくとも１つの帯域幅にわたる範囲の放射線を生成する。例えば、少なくとも３つの１０ｋｅＶバンドがその範囲内で分解され得るようなスペクトルである。
【００４９】
検出器システムは、データ処理装置により分光学的に分解可能なように放射線を検出できることが好ましい。好ましくは、検出器システム、または複数の要素システムを構成する一部もしくは全ての別個の検出器要素は、直接的な分光学的分解を提示するという点で分光学的分解を生成するように構成されてもよい。特に、システムまたは要素は、本質的に直接的な材料特性として、ソーススペクトルの異なる部分に対して直接的な可変電気応答および例えば光電応答を提示するように選択される材料から製造される。例えば、検出器システムまたは要素は、好ましくはバルク結晶として、および例えばバルク単結晶として形成される半導体材料（複数も含む）を含む（この文脈においてバルク結晶とは、少なくとも５００μｍ、好ましくは少なくとも１ｍｍの厚さを示す）。半導体を構成する材料は、好ましくは、テルル化カドミウム、テルル化カドミウム亜鉛（ＣＺＴ）、テルル化カドミウムマンガン（ＣＭＴ）、ゲルマニウム、臭化ランタン、臭化トリウムから選択される。これに関して、ＩＩ−ＶＩ族半導体、特に記載したものが特に好ましい。半導体を構成する材料は、好ましくは、テルル化カドミウム、テルル化カドミウム亜鉛（ＣＺＴ）、テルル化カドミウムマンガン（ＣＭＴ）およびそれらの合金から選択され、例えば、結晶性ＣＤ１−（ａ＋ｂ）ＭｎａＺｎｂＴｅ（ここでａおよび／またはｂはゼロであってもよい）を含む。
【００５０】
物体および内容物との相互作用の後、単に放射線の振幅を検出するというよりむしろ、分光学的検出を与える、これらおよび任意の他のこのような材料の組合せが考慮されてもよい。
【００５１】
好ましくは、特に幾何学形状のビーム、例えばペンシルビーム形状、または扇ビームもしくはカーテンビームが、物体の移動方向に対して垂直に配置されて使用される。
【００５２】
好ましい実施形態において、簡単なペンシルビームが、単独ピクセル検出器または線形アレイ検出器と共に提供されてもよい。代替として、ビームは、例えば１つ以上の線形検出器と共に、少なくとも一次元において拡散を有するようにコリメートされてもよい。ペンシルビーム形状が使用される場合、１つのピクセルのみが検出器に必要とされる。ペンシルビームと共に使用される線形アレイまたは領域アレイは、散乱放射線などの追加的情報を検出する能力を提供できる。扇ビーム形状が使用される場合、物体の移動方向に対して垂直で、ビーム領域内に配置される線形検出器が好ましい。簡便には、線形検出器は複数の個々の検出器要素の線形アレイを含んでもよい。
【００５３】
放射線ソースはこのようなビームを放出するように構成される。コリメータは好ましくは、ソースから適切な形状の放出ビームを生成するために、例えばソースに近接して、ソースと被検査物体との間に提供される。特に、ソースビームはペンシルビームを生成するようにコリメートされる。
【００５４】
付加的に、または代替として、ビームは、透過した放射線が検出器を透過できるが、例えばあらゆる散乱放射線が検出器に到達するのを制限するように、例えば検出器に近接した位置で、被検査物体および内容物との相互作用後にコリメートされてもよい。
【００５５】
端的には、本発明は、入射放射線経路における材料組成のデータセット特性の複数のスペクトルバンドにおいて出現する強度データからの抽出および予想されるマーカー材料の存在を検出するための好適なライブラリー比較の生成に頼る。組成データ自体または物体の画像を生成することは必要としない。しかしながら、本発明は、そのような組成データ自体および／またはそのような物体の画像を生成するために走査システムの一部を形成してもよいことは排除しない。
【００５６】
この可能な実施形態によれば、検出器または追加の検出器における放射線入射についての情報のデータセットは、走査ゾーンにおける物体の組成に関する情報を生成するために数値的に解析され、および／または走査ゾーンにおける物体の画像を生成するために使用される。
【００５７】
好ましくは、この方法は、走査ゾーンにおける物体との相互作用後に透過された放射線の強度に関するデータを収集する工程を含み、透過された放射線の強度に関するデータは、走査ゾーンにおける物体の組成に関する情報を生成するために検出器もしくは追加の検出器において数値的に処理され、および／または１つ以上の画像および例えば物体が走査ゾーンを移動する場合、連続した画像を生成するために使用される。
【００５８】
明確さのために、本明細書で使用される場合、画像の生成に対する参照は、例えば、適切に保存され、操作可能なデータファイルの形態の情報データセットの作製に対する参照であり、そこから、被検査物体の基本的な構造の視覚表示が生成されてもよく、この画像を表示することに対する参照は、視覚的に利用可能な形態、例えば好適なディスプレイ手段においてこのようなデータセットから生成される画像を提示することの参照であることは理解されるべきである。
【００５９】
本発明の方法には、簡便にはさらに、このように生成された画像（複数も含む）を表示し、複数の画像の場合、そのような画像を同時または連続して表示することを含む、追加の工程を提供する。
【００６０】
各々の収集された画像は、全スペクトルの一部にわたって画像を生成することを意図される複数のバンドの各々にわたって分光学的に分解されてもよく、それにより、バンドは一緒に、エネルギー差異化合成画像または連続した画像の生成を可能にする。
【００６１】
ここで、本発明を添付の図面を参照して例のみとして記載する。
【図面の簡単な説明】
【００６２】
【図１】図１は、マークした液体を保有するボトルについての例示的な実施形態における本発明の装置の概略図である。
【図２】図２は、代替のマーカー構造およびそのような代替構造についての光線経路の図である。
【図３】図３は、図１のような装置により本発明を実施するための可能な装置の概略図である。
【図４】図４は、典型的な放射線ソーススペクトルを例示し、画像化操作と併せて本発明を実施するために分割する方法を例示する。
【発明を実施するための形態】
【００６３】
放射線スキャナが透過された放射線の減衰を検出するために問い合わせ／認証段階で使用される例を本明細書以下に与える。しかしながら、これは本発明の原理を単に例示しているだけであることは理解されるべきである。特徴的分光応答を与える、少なくとも標的材料から出現する放射線を生じるいずれかの放射線相互作用モードが利用されてもよい。例えば、他の場合においては、特有の後方散乱応答を生じるマーカー材料が特に効果的であり得る。さらに、本発明は、本発明の原理に従ってマーカー材料を検出するため、および従来の原理に従って追加的な組成分析または画像化をするための相互作用の同じまたは異なるモードを利用してもよい。当業者は、このような他の場合に対する類似性によって適用されてもよい本明細書以下の例のこれらの態様を容易に理解するだろう。
【００６４】
図１に例示した本発明の装置において、高エネルギーイオン化放射線ソースとしてｘ線放射線ソースを使用してボトル内の液体および同様の物体を走査するためのボトルスキャナを含む、本発明を実施するための可能な装置の実施形態を示す。
【００６５】
ボトルスキャナ１０は、移動用の線形スライダ軸１１に固定して接続しているボトルホルダ１２を共に動かすために、線形スライダ軸１１を備えている。線形スライダ軸１１は、２つの方向にボトルホルダ１２を動かすことができる。
【００６６】
ボトルホルダ１２は、ボトル１６が静止される背もたれ部材１３およびボトル１６が位置する上面１５を有するベース部材１４を含む。ボトル１６は、角度αで傾けられているホルダおよび線形スライダ軸によって、ボトルホルダ１２に対して入れ子に（はまるように）なっている。例において、これは、垂直線から１５°の角度であり得る。ボトルのために、５°〜３０°の間のなす角度は都合がよくなり得る。物体または容器の他の形状が、異なる最適な角度で保持されてもよい。
【００６７】
ボトルホルダの背もたれ部材１３は、ボトルから検出器まで通過するｘ線ビームのための明瞭な経路ができるように、好ましくは開口部（図示せず）を備えている。背もたれ部材１３の開口部は、背もたれ部材の上部から一番下までの諸々のスロット形の開口であり得る。スロット開口は、一部のビーム・コリメーションに妨げられずに通過するビームを許容するのに十分であるが、いかなる散乱放射線も検出器２２に達するのを制限するのに十分に狭い幅を提供する狭スロットであり得る。透過側のビームの付加的なまたは他の代替のコリメーションが設けられてもよい。
【００６８】
線形スライダ軸１１に沿ったボトルホルダ１２およびボトル１６の動きは、電気駆動スッテパモータ２３の回転によって生じる。モータ２３はプーリー２４を回転させ、それは次に、プーリー２６の回転を駆動するベルト２５を駆動させる。プーリー２６の回転運動は、適切な駆動、例えばボトルホルダ１２の線形動作を作る線形スライダ軸１１中のネジ回し駆動（図示せず）の回転に変換される。
【００６９】
モータはいずれの方向の回転もでき、モータの回転の方向を制御することによって、ボトルホルダ１２およびボトル１６の動作の方向が決定されてもよい。
【００７０】
ボトルが線形スライダ軸の方向に沿って移動すると、ｘ線ビーム１９が通過する。入射ビーム１９は、ソース１８、好ましくは、ビームに存在するエネルギーの広域スペクトルを有するように、タングステンソースによって発生する。
【００７１】
ｘ線ビーム１９は水平に位置合わせされる。ボトルが垂直線から角度αで傾けられると、ビームはボトルの表面に対して直角にボトルに当たらない。この好ましい配置は、ビームがボトルおよびその内容物を通過すると、ビームについての増加した吸収経路を与える。
【００７２】
入射ビーム１９はボトル１６およびボトル内容物１７を通過し、透過ビーム２２がボトルから出現し、検出器２０によって検出される前に、吸収および散乱がビーム経路２１に沿って起こる。
【００７３】
この実施形態において、開口４３を備え、ソース１８の近くに配置される第１のコリメータ４１によってｘ線ビームはコリメートされ、好ましくはｘ線ビームは１次元の幾何学を有するペンシルビームである。
【００７４】
この実施形態において、透過ｘ線ビーム２０は、検出器２２に到達する前に、第２のコリメータ４２の適切な開口４４によってコリメートされる。
【００７５】
この実施形態において、検出器２２は、コリメートされたｘ線ビームに位置合わせされる単一のピクセルである。検出器は、強度を表す信号および透過ｘ線ビーム２０からの光子との相互作用のエネルギーを生成する。次いでこれらの信号は以下の図２における詳述のように処理される。この実施形態において、検出器は、入射ｘ線の分光学的分解が可能な材料を含み、具体的な例において、テルル化カドミウム（ＣｄＴｅ）を含むが、代替の材料が使用されてもよいことは理解されるだろう。
【００７６】
付加的な分析機能が、前方および／または後方に散乱されたｘ線ビームのそれらの部分を検出するために、追加検出器を用いて提供されてもよい。透過ビーム２０および前方散乱ｘ線ビームは、線形または領域アレイを使用して検出されてもよい。
【００７７】
図１に例示した実施形態において、容器の液体内容物１７は、その中に分散される付加されたマーカー材料を有することが想定される。このマーカー材料は、液体内容物の正常な機能に影響を与えないように不活性であることを意図されるが、明確かつ特徴的なｘ線応答を示し、特にスペクトルにわたるエネルギーで特徴的に変化する。この特徴的な応答は、例えば含有された液体（またはこのような容器のひとまとまり（バッチ）の試料）に対して装置を作動することによって初期マーキング段階で記録される。
【００７８】
この実施形態は、容器の内容物１７が液体であるので実質的に均一であり、マーカー材料がその中で実質的に均一に分配されるという原理で作動する。もちろん、同様の原理が、いずれかの含有される材料に適用されてもよく、それらの性質は単一のほぼ均一な組成、例えば、混合物、溶液、乳液、懸濁液などを含む液体などの液体組成、ゲル、ペースト、クリーム、微粉およびその同様物、エアロゾルなどの同様の流動性組成を有することが予想される。マーカー材料は、例えば、溶液、懸濁液、乳液などの中で均一に分配されるか、またはそうでなければ組成混合物の成分として分配される。
【００７９】
さらにまたは代替として、マーカー材料は容器１６内に組み込まれてもよく、および／またはマーカータグが容器に添付されてもよい。このような代替についての可能な構造および光線経路を図２に示す。
【００８０】
例えば、マーカー材料は、ボトル壁２８、ボトル上部２９の材料に含まれてもよく、または容器に添付されたマーカータグ３０内に含まれてもよい。
【００８１】
入射光線経路１９ａ〜１９ｄの例を示す。光線経路１９ａはボトル上部２９に入射し、透過光線２２ａを生じ、そこから、本発明の原理に従ってマーカー材料を有し得る、上部の組成の詳細が導き出され得る。光線経路１９ｂおよび１９ｃはボトル壁２８に入射し、透過光線２２ｂ、２２ｃを生じ、そこから、本発明の原理に従っていずれかまたは両方がマーカー材料を有し得る、壁および（充填レベルに応じて）内容物の組成の詳細が導き出され得る。光線経路１９ｄはマーカータグ３０に入射し、透過光線２２ｄを生じ、そこから、タグ、壁および内容物の組成の詳細が導き出され得る。タグは、壁および／または内容物に加えてまたは代替として本発明の原理に従ってマーカー材料を有してもよい。
【００８２】
マーカー材料による影響を受けていないという追加データが収集されてもよい。例えば、内容物がマークされたデータである場合、そのマークされたデータは、空の容器を走査することによって、および／または容器壁のみを通過し、内容物を通過しない入射経路を走査することによって収集されてもよい。マーカー材料が容器の指定された領域、例えば容器壁２８の一部またはその指定された別の部分、例えば上部閉鎖部２９または特注のタグ３０に保有される代替の場合において、データは、指定された領域に衝突する入射放射線を用いて、および他の場所に衝突する入射放射線を用いて収集されてもよい。
【００８３】
したがって、放射線相互作用データは、少なくともマーカー材料により相互作用が特徴的に影響を受ける領域から、および必要に応じて他の場所からも収集される。これは、マーカー材料が被検査物体に存在するかどうかを決定し、それにより物体を識別または認証するための問い合わせ段階における後の参照のためにデータライブラリに保存されてもよい。
【００８４】
問い合わせ段階のための可能なプロセスチャートを図３に参照する。図３の全体的な概略図において、簡略化のために単一光線経路のみが示される。ｘ線ソース１８および横方向に間隔を置かれた検出器装置アセンブリ２２は、それらの間に一緒に走査ゾーンＺを規定する。使用中、走査されるボトルは、図１に示されるようなボトルホルダに置かれることにより、ｘ線ビーム経路へもたらされ、ｘ線ビームがその軸に沿ってボトルを通過するように、図１で説明したようなメカニズムによって、走査ゾーンを通る方向Ｘに移動される。
【００８５】
例示した例において、ボトルは走査ゾーンＺに位置する。ｘ線ソースからの入射ビーム１９が例示される。この単純な概略図において、入射ビームはライン１９により表される。透過ビーム２０は単一の検出器２２に入射される。
【００８６】
検出器２２はプロセッサ３２とデータ通信する。検出器の材料の固有のスペクトル分解能によって、プロセッサ３２が、データレジスタ３３に保存されるエネルギーバンド境界線を参照することで、本発明の原理に従った複数の予め設定された周波数／エネルギーバンドにわたって差異的にこの画像を分解することができる。
【００８７】
例示的な実施形態において、タングステンｘ線ソースが使用される。典型的なスペクトルは、図４に例示する波長に対する初期強度のタングステンによって発生する場合がある。
【００８８】
図４の主な目的は、可能な実施形態に従ってスペクトルが分解され得る２つの可能な方法を例示することである。各場合において、スペクトルは５つの周波数バンドに分解されて示されている。
【００８９】
概略図は、スペクトルが分解され得る２つの方法を例示する。図４ａにおいて、生成されたスペクトルの大部分は、５つの比較的広いエネルギーバンドｂ１〜ｂ５に分けられる。図４ｂにおいて、個々のエネルギーに均一に近接し得る５つの比較的狭いバンドは、ｃ１〜ｃ５と規定される。どちらの選択肢も本発明の原理に矛盾せず、有用な結果を生じさせるためにあらゆる組合せが使用されてもよい。
【００９０】
例示的な実施形態において、データは、内容物内に分配されたマーカー材料の存在を決定するように、調査中のボトル１６の材料内容物を特徴付けるために使用される。同じ原理が、マーカー材料が溶液内またはその容器上のタグに組み込まれる場合、全体的に当てはまる。例示した実施形態において、データは数値的に分析される。
【００９１】
プロセッサ３２からの分解されたデータは、マーキング段階で生成される参照データが保存されるデータライブラリ３５に問い合わせることができるコンパレータ３４に通される。これは手動または自動で操作されるライブラリーであってもよいが、この実施形態においては、データリンクを介して自動的に操作される。コンパレータは、適切な許容限度内で、プロセッサ３２により生成された結果と、ライブラリー３５に保存されている予想されるデータまたはライブラリー３５における参照データから誘導されるデータとを比較して、予想されるマーカーの存在の指標を誘導する。
【００９２】
補足的な追加分析および／または比較が、結果の正確さを改良するために分光学的に分解されたデータに基づいてなされてもよい（例えば、ボトルおよび／または内容物の組成はまた、分析および予想される組成データと比較されてもよい）が、これは必ずしも本発明に必要ではない。
【００９３】
結果が、少なくとも予想されるマーカーの非存在または存在の決定、および必要に応じて他の分析に基づいて結果モジュール３６により出力される。予想されるマーカーの非存在は、典型的に、認証の失敗として提示される。予想されるマーカーの存在は成功（任意の補足的な分析および／または比較に供される）として提示されてもよい。
【００９４】
これは手動または自動的に操作されるライブラリーであってもよい。データはプレロードまたは参照されてもよいか、あるいは既知の材料を有する装置の作動により時間とともに生成または付加されてもよい。
【図１】
0005855027.tif 000002
【図２】
0005855027.tif 000003
【図３】
0005855027.tif 000004
【図４ａ】
0005855027.tif 000005
【図４ｂ】
0005855027.tif 000006